(57)【要約】【課題】手軽且つ的確に希釈でき、エコ問題にも貢献できる濃縮原液用として好適な目盛り付きペットボトルを提供する。【解決手段】ペットボトル１には濃縮原液が充填されている。目盛りはペットボトル本体１の複数箇所に設けられ、各目盛５ａ〜５ｄの目盛り間隔は全て異なる。濃縮原液を希釈して希釈飲料を飲用するにあたり、作成する希釈飲料量に基づく濃縮原液の必要量に応じて、これに合う目盛り間隔で濃縮原液を消費できる。目盛り及び濃縮原液の液量は、シュリンクフィルム４の透明部４ｂにおいて確認できる。【選択図】図１
0003150524.tif 000002
【実用新案登録請求の範囲】
【請求項１】
目盛り付きペットボトルであって、
前記ペットボトルには濃縮原液が充填され、
前記目盛りは、ペットボトル本体の複数箇所に設けられ、
前記複数箇所に設けられた各目盛りの目盛り間隔は全て異なり、
前記濃縮原液を希釈して希釈飲料を飲用するにあたり、作成する希釈飲料量に基づく濃縮原液の必要量に応じて、これに合う目盛り間隔で前記濃縮原液を消費できることを特徴とする、濃縮原液用の目盛り付きペットボトル。
【請求項２】
前記ペットボトル本体には、商品名等が印字されたシュリンクフィルムが外装されており、
前記シュリンクフィルムには、高さ方向に延びる透明部が複数本設けられており、
前記目盛り及び前記濃縮原液の液量を、前記シュリンクフィルムの透明部において確認できることを特徴とする、請求項１に記載の濃縮原液用の目盛り付きペットボトル。
【請求項３】
前記ペットボトル本体は、各コーナー部が面取りされた四角筒型形状を呈し、
前記目盛りは前記各コーナー部にそれぞれ設けられていることを特徴とする、請求項１または請求項２に記載の濃縮原液用の目盛り付きペットボトル。
【請求項４】
前記各目盛りは、前記シュリンクフィルムの透明部に印刷されており、
各目盛りがそれぞれ異なる色で印刷されていることを特徴とする、請求項２または請求項３に記載の濃縮原液用の目盛り付きペットボトル。
【考案の詳細な説明】
【技術分野】
【０００１】
本考案は、目盛りが付されたペットボトルに関する。
【背景技術】
【０００２】
この種のペットボトルとして、特許文献１ないし特許文献３がある。特許文献１では、ペットボトル中の飲料をどれだけ飲用したかを確認するための目盛りが設けられている。特許文献２は、特許文献１とは逆に、ペットボトル中の液面の位置、すなわち内容物の残量を一目で把握できるようにするために目盛りが付されており、逆さ状態で固定された場合にも対応できるように、順目盛りに加えて逆目盛りも設けている。特許文献３は、炊飯時において米の銘柄等に適した水を合単位で提供できる米炊き用水入りペットボトルであって、ペットボトルには米を炊く場合に用いる水の量を示し、炊く米の量を合の単位目盛りで表した米炊き用目盛りが設けられている。
【先行技術文献】
【特許文献】
【０００３】
【特許文献１】実用新案登録第３１０４８５０号公報
【特許文献２】登録実用新案第３００８９０２号公報
【特許文献３】実用新案登録第３０９３８５８号公報
【考案の概要】
【考案が解決しようとする課題】
【０００４】
ところで、果汁ジュース等の清涼飲料や乳酸飲料では、濃縮原液の状態で容器に充填し販売されることがある。当該濃縮原液は、所定の希釈倍率に基づき水で希釈して飲用することになる。清涼飲料や乳酸飲料などの濃縮原液は紙容器や瓶容器に充填し販売されるのが一般的であるが、これらの容器には目盛りは付されていない。したがって、原液容器内からコップ等の別の容器へ注いだ濃縮原液量が不明であれば、希釈用の水をどの程度使用すればよいかも明確に把握できず、的確に希釈できない。また、そのときの気分や体調等によって飲用したい量は異なり、コップの大きさによっても飲用する希釈された飲料（以下、希釈飲料と称する）の量も規定される。このように希釈後の量が定まっている場合は、希釈倍率から逆算的に濃縮原液の使用量も規定されるが、原液容器に目盛りがなければ的確に把握できない。濃縮原液を一旦計量カップへ注いで濃縮原液量を確認すれば的確な希釈は可能であるが、希釈後さらに飲用コップへ移す必要があり、面倒である。
【０００５】
また、濃縮原液の状態で販売すれば、適度な濃度に希釈された状態（ストレートで飲用可能な状態）で販売されている場合と比べて、実際の飲用量が希釈倍率分多くなるので、実質的に同じ飲料が低価格で購入できるというメリットがある。しかしながら、このようなメリットがあるにもかかわらず、近年では上記不便性からか濃縮原液よりもストレート飲料の方が好まれる傾向がある。特に、最近では一旦開封した後でも再度封止して持ち運びが可能なペットボトル飲料が多用されている。反面、ペットボトルの廃棄量も比例的に増大しており、資源問題、ごみ処理やリサイクルに要するコスト問題、及び環境問題等が生じている。
【０００６】
そこで本発明者は、利便性の高いペットボトルによって濃縮原液を販売し、エコ問題にも貢献しながら、上記不便性に鑑みて手軽に希釈できないかと鋭意検討した結果、ペットボトルに目盛りを付せばよいことを知見し、本考案を完成させるに至った。
【０００７】
ここで、上述のように、目盛り付きのペットボトル自体は既に公知である。しかし、濃縮原液用として適した構成の目盛り付きペットボトルは存在していない。具体的に見ても、特許文献１には目盛りが１種類しかない。これでは、飲用したい量がそのときによって異なるなど、作成する希釈飲料量に基づく濃縮原液の必要量が異なる場合に対応できない。特許文献２では、２箇所に目盛りを付しているが、単に上下逆目盛りとして設けられているだけであって、両目盛りの目盛り間隔は同一なので、やはり濃縮原液用には適さない。特許文献３は、炊く米の量を合の単位目盛りで表した米炊き用目盛りが設けられて、炊飯時に米の銘柄等に適した水を提供できる点に特化しており、濃縮原液用として使用するには無理がある。
【０００８】
そこで、本考案の目的は、手軽且つ的確に希釈でき、エコ問題にも貢献できる濃縮原液用として好適な目盛り付きペットボトルを提供するにある。
【課題を解決するための手段】
【０００９】
本考案は、ポリエチレンテレフタレート（ＰＥＴ）製の飲料用ボトル型容器、すなわち所謂ペットボトルに関し、当該ペットボトルには目盛りが付されている。前記ペットボトルには濃縮原液が充填されている。濃縮原液とは、所定の希釈倍率に基づいて希釈したうえで、飲用されることを前提とする飲料原液である。前記目盛りは、ペットボトル本体の複数箇所に設けられており、当該複数箇所に設けられた各目盛りの目盛り間隔は、全て異なる。そして、前記濃縮原液を希釈して希釈飲料を飲用するにあたり、作成する希釈飲料量に基づく濃縮原液の必要量に応じて、これに合う目盛り間隔で前記濃縮原液を消費できることを特徴とする。
【００１０】
前記ペットボトル本体に商品名等が印字されたシュリンクフィルムが外装されている場合、当該シュリンクフィルムには、高さ方向に延びる透明部を複数本設けたうえで、前記目盛り及び前記濃縮原液の液量を、前記シュリンクフィルムの透明部において確認できるようにすることが好ましい。
【００１１】
前記ペットボトル本体が、各コーナー部が面取りされた四角筒型形状（正確には八角形）を呈する場合、前記目盛りは前記各コーナー部にそれぞれ設けることが好ましい。
【００１２】
さらに、前記各目盛りは前記シュリンクフィルムの透明部に印刷することが好ましい。この場合、各目盛りはそれぞれ異なる色で印刷することが好ましい。
【考案の効果】
【００１３】
本考案によれば、濃縮原液をペットボトルに充填しているので、ストレート飲料を充填した場合に比べて希釈倍率分ペットボトルの廃棄量が減少し、資源問題や環境問題などのエコ問題に貢献する。例えば、５倍希釈用の濃縮原液であれば、ストレート飲料の場合に比べてペットボトルの廃棄量は１／５になる。もちろん、消費者にとっては実質的な価格（購入料）もストレート飲料と比べて安くなり、経済的である。また、濃縮原液をペットボトルに充填すれば、利便性も高い。
【００１４】
そのうえで、ペットボトルへ目盛りを設けていることで、濃縮原液の注ぎ量を的確に把握できる。しかも、種々目盛り間隔の異なる目盛りを複数本設けているので、作成する希釈飲料量に必要な濃縮原液の必要量に合った目盛りにおいて、１目盛り分他の容器へ注ぐだけで、その時に必要な濃縮原液の注ぎ量を的確に把握できる。
【００１５】
一般的にペットボトルには、商品名等が印字された全体的に不透明ないし半透明なシュリンクフィルムが外装されている。この場合、シュリンクフィルムに高さ方向に延びる透明部を複数本設けたうえで、当該透明部において各目盛り及び液量を確認できれば、意匠性や表示義務等を担保しながらも、確実に濃縮原液の使用量を把握できる。
【００１６】
ペットボトル本体が四角筒型形状を呈する場合に、各目盛りをそれぞれ各コーナー部に設けておけば、ペットボトルの意匠性を阻害することを避けられる。場合によっては、デザイン性の高い意匠ともなる。
【００１７】
各目盛りをシュリンクフィルムに印刷すれば、ペットボトル本体へ印刷や立体形成する場合よりも生産性が高い。さらに、各目盛りの色がそれぞれ異なれば、必ずしも液量表示を設けなくとも色によって目盛りの違いを識別でき、利便性が向上する。液量表示が付されている場合は、当該液量表示と色との双方によって目盛りの違いを識別でき、利便性がより向上する。
【図面の簡単な説明】
【００１８】
【図１】ペットボトルの正面図である。
【図２】ペットボトルの背面図である。
【考案を実施するための形態】
【００１９】
以下に本考案を実施するための一形態を図面を用いて説明するが、本実施の形態で説明した形状、構成、表示例等に限定されず、本考案の要旨を逸脱しない範囲で種々の変更が可能であることはいうまでもない。本発明の目盛り付きペットボトルには、濃縮原液が充填される。濃縮原液としては、所定の希釈倍率に基づき水で希釈して飲用する飲料原液であれば特に限定されず、乳酸飲料原液や濃縮果汁原液などを例示できる。以下には、５倍濃縮用の濃縮果汁が充填された５００ｍｌペットボトルを例に挙げて説明する。
【００２０】
（実施例）
図１及び図２に示すように、ペットボトル１は、ＰＥＴ性の透明なペットボトル本体２と、ペットボトル本体２の上部開口を封止するキャップ３とを有する。ペットボトル本体２には、ポリプロピレン（ＰＰ）やポリエチレン（ＰＥ）製等のシュリンクフィルム４が密着外装されている。ペットボトル本体２は、各コーナー部が面取りされた四角筒型（正確には八角筒型）形状を呈する。シュリンクフィルム４は、ペットボトル本体２の上部からペットボトル本体２の下端部までを覆っており、商品名、原材料名、栄養表示、及び注意書などが印刷された不透明部４ａと、シュリンクフィルム４の上下端に亘って高さ方向に延びる複数本の透明部４ｂとを有する。透明部４ｂは、ペットボトル本体２の各コーナー部にそれぞれ設けられて、合計４本設けられている。そして、シュリンクフィルム４の各透明部４ｂに、それぞれ第１〜第４の目盛５ａ〜５ｄが印刷されている。これにより、各透明部４ｂにおいて、ペットボトル１内の濃縮原液の液量と目盛りとを確認できるようになっている。
【００２１】
各目盛５ａ〜５ｄの目盛り間隔は全て異なり、本実施例では１００ｍｌ間隔で印刷された第１目盛５ａと、７０ｍｌ間隔で印刷された第２目盛５ｂと、４０ｍｌ間隔で印刷された第３目盛５ｃと、２０ｍｌ間隔で印刷された第４目盛５ｄとからなる。第１及び第２の目盛５ａ・５ｂはペットボトル１の表側コーナー部に印刷され（図１）、第３及び第４の目盛５ｃ・５ｄはペットボトル１の裏側コーナー部に印刷されている（図２）。さらに、各目盛５ａ〜５ｄは、それぞれ互いに異なる色で着色印刷されており、本実施例では、第１目盛５ａが赤色で、第２目盛５ｂが黒色で、第３目盛５ｃが白色で、第４目盛５ｄが緑色で、それぞれ印刷されている。また、各目盛５ａ〜５ｄには、全て若しくは一定間隔で液量表示が同時に印刷されている。具体的には、比較的目盛り間隔の広い第１及び第２目盛５ａ・５ｂでは、全ての目盛線において液量表示が記載され、比較的目盛り間隔の狭い第３及び第４の目盛５ｃ・５ｄでは、一定間隔で液量表示が記載されている。なお、第３目盛５ｃの液量表示は、他の目盛における液量表示と重複しない液量で記載されており、第４目盛５ｄは、第１目盛５ａと共に基本液量を示す１００ｍｌ間隔で記載されている。表側の第１目盛５ａと共に裏側の第４目盛５ｄにも基本液量が記載されていることで、ペットボトル１の前後左右いずれの方向からも基本液量を確認することができる。
【００２２】
ジュースを飲みたい場合は、キャップ３を取り外して濃縮原液を適量コップ等の別容器へ注ぎ、水で５倍に希釈して飲用する。このとき、そのときの気分や体調などによって飲用したい量は異なり、また、コップ一杯の量も異なる。そして、最終的に作成するジュース（希釈飲料）の量に対して、希釈倍率から逆算的に濃縮原液の必要量が定まる。そこで、濃縮原液を希釈して希釈飲料を飲用するにあたり、作成する希釈飲料量に基づく濃縮原液の必要量に応じて、これに合う第１〜第４目盛５ａ〜５ｂいずれかの目盛り間隔で濃縮原液を消費することで、的確にコップ等に注いだ濃縮原液量を把握することができる。
【００２３】
具体的には、最終的に５００ｍｌのジュースが必要であれば、シュリンクフィルム４の透明部４ｂにおいて、第１目盛５ａと濃縮原液の液量を確認しながら、第１目盛５ａの一目盛分濃縮原液をコップ等の別容器へ注げばよい。同様に、３５０ｍｌのジュースが必要であれば第２目盛５ｂの一目盛分、２００ｍｌのジュースが必要であれば第３目盛５ｃの一目盛分、１００ｍｌのジュースが必要であれば第４目盛５ｄの一目盛分、それぞれ濃縮原液をコップ等へ注げばよい。このとき、各目盛５ａ〜５ｄの色がそれぞれ異なるので、その時に使用すべき目盛りの種類を判別しやすい。その他の量が必要であれば、第１〜第４目盛５ａ〜５ｄの複数目盛分注いだり、各目盛５ａ〜５ｄを適宜組み合わせて調整すればよい。
【００２４】
（変形例）
以上、本発明の代表的な実施例について説明したが、本発明は上記実施例に限定されず、その他にも種々の変形が可能である。シュリンクフィルム４の透明部４ｂ及び当該部分に設けられる目盛りは、４箇所（４種類）に限らず、少なくとも２箇所（２種類）以上あればよい。また、ペットボトル本体２は、面取りされた四角筒型（正確には八角型）のみならず、円筒型や面取りされていない四角型のものにも適用できる。ペットボトル本体２が円筒型の場合は、透明部４ｂ及び目盛りを周方向へ等間隔で設けることが好ましい。ペットボトル本体２が面取りされていない四角型であれば、前後左右４面のうち、いずれか２面以上にそれぞれ透明部４ｂ及び目盛りを設ければよい。
【００２５】
濃縮原液は、５倍希釈に限らず、複数倍に希釈するものであれば特に限定されない。目盛りは、シュリンクフィルム４に印刷するのみならず、ペットボトル本体２に印刷したり、ペットボトル本体２自体の凹凸形状として形成することもできる。各目盛りの色は、必ずしもそれぞれ異ならせる必要もない。もちろん、各目盛りの目盛り間隔は、上記実施例以外の間隔で設けることもできる。ペットボトル１は、５００ｍｌ用のみならず、１Ｌ用、１．５Ｌ用、２Ｌ用でもよい。液量表示は、実際の液量（残量）を表示する減算数値とするほか、目盛り間隔（一目盛りの液量）を示す数値としても良い。液量表示は、少なくとも各目盛りの目盛り間隔のわかる表示が１つあればよい。また、不透明部４ａに、例えば「一目盛（１００ｃｃ）を５００ｃｃに薄める」などの、各目盛りに応じた希釈方法（希釈飲料作成方法）の説明書を印刷することも好ましい。この場合、各目盛りに対応する説明書は、透明部４ｂ（の目盛り）に沿って記載することが好ましい。
【符号の説明】
【００２６】
１  ペットボトル
２  ペットボトル本体
４  シュリンクフィルム
４ａ  不透明部
４ｂ  透明部
５ａ〜５ｄ  目盛り
【図１】
0003150524.tif 000003
【図２】
0003150524.tif 000004